(57)【要約】【課題】  フレキシブル配線部材の固有振動数を不快周波数近傍からずらすことで、共鳴問題を生じにくくする【解決手段】  磁気記録再生装置は、プリント基板７と、磁気記録テープ媒体への記録及び、磁気記録テープ媒体から情報を読み取るためのドラム５を回転させるモータ４と、プリント基板７とモータ４を電気的に接続するためのＦＦＣ１を備えている。ＦＦＣ１は、両端接続部１ａ，１ｂと、両端接続部１ａ，１ｂ同士の間に配置され、長手方向に沿って延びる折り目１ｄが形成された空中配線部１ｃとを備えている。【選択図】      図１
2007035228.tif 000002
【特許請求の範囲】
【請求項１】
電気基板と、磁気記録テープ媒体への記録及び、磁気記録テープ媒体から情報を読み取るためのドラム部を回転させるモータと、前記電気基板と前記モータを電気的に接続するためのフレキシブル配線部材を備え、
前記フレキシブル配線部材は、両端の接続部と、前記接続部の間に、長手方向に沿って折り目が形成された薄板状の空中配線部を備えた磁気記録再生装置。
【請求項２】
前記空中配線部は、両端の接続部のみによって支持されている、請求項１に記載の磁気記録再生装置。
【請求項３】
前記空中配線部は、長手方向に直線状に延びている部分を有している、請求項１又は２に記載の磁気記録再生装置。
【請求項４】
電気基板と、磁気記録テープ媒体への記録及び、磁気記録テープ媒体から情報を読み取るためのドラム部を回転させるモータと、前記電気基板と前記モータを電気的に接続するためのフレキシブル配線部材を備えた磁気記録再生装置において、
前記フレキシブル配線部材の両端の接続部を前記電気基板と前記モータに接続するステップと、前記フレキシブル配線部材の空中配線部に長手方向に沿って折り目を形成するステップと、を備えたフレキシブル配線部材の取り付け方法。
【発明の詳細な説明】
【技術分野】
【０００１】
本発明は、ＶＣＲ機器等の磁気記録再生装置、及びそれに用いられるフレキシブル配線部材の取付方法に関する。フレキシブル配線部材とは、ＦＰＣ（フレキシブル配線板）およびＦＦＣ（フレキシブルフラットケーブル）を含む。
【背景技術】
【０００２】
電気回路基板同士を電気的に接続する場合には、ＦＰＣやＦＦＣといったフレキシブル配線部材を使って結線する方式がとられる。この方式の利点としては、ＦＦＣ自体の柔軟性を利用した自由度の高い引き廻しができることと、コネクタへの挿抜で簡単に結線できるＦＦＣの特徴を用いて組立て作業を容易にしたことが挙げられる。
また、最近では、ＶＣＲ機器のような磁気記録再生装置において、モータなどの機械的な装置と電気回路基板を電気的に接続する場合にも、フレキシブル配線部材が用いられている（例えば、特許文献１を参照。）。フレキシブル配線部材は、一般に、薄型平面形状である。
一方、ＦＰＣやＦＦＣの本体に関する発明では、各結線の電気抵抗を同一にするために同一箔長さを持つ矩形状のＦＰＣを用意して、それを折り曲げて引き回しに都合のよい形状として構成した例がある（例えば、特許文献２を参照。）。
また、同様にＦＦＣやＦＰＣ本体を折り曲げたものでも、その柔軟性を高めることを目的とした場合、本体の長手方向と直交する方向に山折、谷折となる折り目を長手方向に交互に配して折り目を付加することで屈曲し易くして、基板配置の自由度を向上した例もある（例えば、特許文献３を参照。）。
【特許文献１】登録実用新案３０８６９１８号
【特許文献２】特開昭５８−１９００９０号公報
【特許文献２】実開昭５５−１３７５７７号公報
【発明の開示】
【発明が解決しようとする課題】
【０００３】
ＦＰＣやＦＦＣは、本体の柔軟性と様々な折り曲げができる点を利用して、空間を自由に使った空中配線を行うことがある。これにより、組み立て作業性の良い結線を実現できる。また、空中配線部は、長い距離にわたって他の部品を使って姿勢を保持することなく自立した状態を維持できる剛性を有している。そのため、低コストで機器を構成できる。
一方、モータなどの機構的な電気部品は回転や摺動によって振動を発生するため、振動がＦＰＣやＦＦＣに伝わり、共鳴現象を起こす場合がある。すなわちモータがスピーカにおけるボイスコイル部として機能して、ＦＦＣやＦＰＣがコーン紙部として機能することで、振動源より大きい音を発生する。特に、ＦＰＣの固有振動数が人の感じる不快周波数近傍にある場合、使用者に不快感を与え、本構成を有するＡＶ機器の品格を落としてしまう。特に、ＦＰＣの空中配線部の距離が長い構成の場合は、この問題が生じやすい。
共鳴は共鳴音を出す構成物の固有振動数によってその周波数が決まる。固有振動数は、次式で表される。
固有振動数＝（剛性／質量）1/2
つまり、共鳴しているＦＰＣやＦＦＣの固有振動数を不快周波数領域からシフトするためには、ＦＰＣやＦＦＣの剛性か質量を変えることになる。質量を変えるには錘を貼り付ける方法があるが、錘の重さによってＦＰＣやＦＦＣが経年変化を起こし変形する可能性が懸念される。
【０００４】
本発明の目的は、フレキシブル配線部材の固有振動数を不快周波数近傍からずらすことで、共鳴問題を生じにくくすることにある。
【課題を解決するための手段】
【０００５】
請求項１に記載の磁気記録再生装置は、電気基板と、磁気記録テープ媒体への記録及び、磁気記録テープ媒体から情報を読み取るためのドラム部を回転させるモータと、電気基板とモータを電気的に接続するためのフレキシブル配線部材とを備えている。フレキシブル配線部材は、両端の接続部と、接続部の間に、長手方向に沿って折り目が形成された薄板状の空中配線部を備えている。
この磁気記録再生装置ではモータからの振動によってフレキシブル配線部材が共振しやすいが、フレキシブル配線部材が、断面が例えばＬ字形状となるため、高剛性の構造体になっている。その結果、フレキシブル配線部材の固有振動数を従来の領域からシフトさせている。具体的には、例えば６００〜１０００Ｈｚ近傍の不快な騒音を発生するフレキシブル配線部材の場合であっても、固有振動数を高域に移動させているため、通常の動作領域では共鳴が発生しなくなる。あるいは共鳴が発生したとしても、人の耳に聞こえにくい。以上より、フレキシブル配線部材の共鳴問題が生じにくい。
請求項２に記載のフレキシブル配線部材では、請求項１において、空中配線部は両端の接続部のみによって支持されている。
このフレキシブル配線部材では、空中配線部に共振が生じやすいが、フレキシブル配線部材を長手方向に沿って折ることによって剛性を高くしているため、騒音を発生しにくい。
【０００６】
請求項３に記載のフレキシブル配線部材では、請求項１又は２において、空中配線部は長手方向に直線状に延びている部分を有する。
このフレキシブル配線部材では、空中配線部に共振が生じやすいが、フレキシブル配線部材を長手方向に沿って折ることによって剛性を高くしているため、騒音を発生しにくい。
請求項４に記載のフレキシブル配線部材の取り付け方法は、電気基板と、磁気記録テープ媒体への記録及び、磁気記録テープ媒体から情報を読み取るためのドラム部を回転させるモータと、電気基板とモータを電気的に接続するためのフレキシブル配線部材とを備えた磁気記録再生装置に用いられ、フレキシブル配線部材の両端の接続部を電気基板とモータに接続するステップと、フレキシブル配線部材の空中配線部に長手方向に沿って折り目を形成するステップとを備えている。
特に、本発明では、金型で定められた形状に打ち抜かれて形成されてしまったＦＰＣ、市販の規格形状に統一されているＦＦＣを、そのまま使用して後から折り曲げ加工を加えるだけで、固有振動数をシフトさせることができる。すなわち、ＦＰＣでは形状を変更するための金型修正が不要となり、ＦＦＣでは独自の素材や形状を採用することなく実施できるため、低コストで修正の時間を要することなく不快な共鳴を改善できるという効果を有する。
【発明の効果】
【０００７】
本発明によって、フレキシブル配線部材の空中配線部に長手方向に沿って延びる折り目を形成することで、フレキシブル配線部材の固有振動数を不快周波数領域からシフトさせることができる。
【発明を実施するための最良の形態】
【０００８】
図１に、本発明に係るＦＦＣ１を採用したＶＣＲの構成部の一例としてモータ駆動部を示す。ＶＣＲには、プリント基板７が設けられおり、その上のメカ６には、磁気記録テープ媒体への記録及び、磁気記録テープ媒体から情報を読み取るためのドラム５と、それを回転させるモータ４とが搭載されている。モータ４の配線板にはコネクタ２が設けられ、プリント基板７にはコネクタ３が設けられている。
ＦＦＣ１は、コネクタ２とコネクタ３を電気的に接続するための部材である。ＦＦＣ１の両端接続部１ａ，１ｂはコネクタ２，３にそれぞれ挿入されている。また、ＦＦＣ１は、両端接続部１ａ，１ｂ同士の間に配置された空中配線部１ｃを有している。ＦＦＣ１は、１ａ−１ｂ−１ｃの順に“コ”の字型に折曲げられており、各部分が長手方向に直線状に延びている。なお、空中配線部１ｃは、両端接続部１ａ，１ｂのみによって支持されている。
ＦＦＣ１の空中配線部１ｃは結線用の引き回しのために折曲げられているだけでなく、長手方向にも折曲げられており（長手方向に沿って延びる折り目１ｄが形成されており）、その断面Ａ−Ａは、図２で示されるように“Ｌ”字形状になっている。
本構成において、モータ４が回転と共に振動を発生し、ＦＦＣ１に伝達された場合、L字型に曲げられたＦＦＣ１の剛性は、従来の断面が平板状（Ｉ字型）のＦＦＣの剛性に比べて数倍であるため、固有振動数が高域にシフトされている。その結果、ＦＦＣ１は、モータ４からの振動に共鳴しにくくなる。また、仮に共鳴した場合でも、人が不快と感じる周波数から数倍の高域で共鳴するため、ＡＶ機器として使用するうえで問題となりにくい。
【０００９】
従来技術と本発明の一例とを比較して、本発明に係るＦＦＣの固有振動数が高域にシフトされることを説明する。厚さｈ1＝０．３ｍｍ、幅ｂ＝１０ｍｍのＦＦＣを用いる。従来の平板状のＦＦＣでは、慣性モーメントＩ1は、以下の式で求められる。
Ｉ1＝ｂｈ13＝（１０×０．３3）／１２＝０．０２２５ｍｍ4
また、本発明に係る長手方向に折り曲げられたL字状のＦＦＣでは、特に真ん中で９０度に折り曲げた場合は、慣性モーメントＩ2は、以下の式で求められる。
Ｉ2＝（１／３）×（Ｂｅ13−ｂｈ23＋ａｅ23）＝（１／３）×（５×１．３６１3−４．７×１．０６１3＋０．３×３．６３８3）＝７．１４５ｍｍ4
なお、ａ＝０．３ｍｍ、ｔ＝０．３ｍｍ、Ｂ＝５ｍｍ、Ｈ＝５ｍｍ、ｂ＝４．７ｍｍであり、ｅ1、ｅ2、ｈ2は、図６に基づいて以下の式から得られる。
ｅ1＝（１／２）×｛（ａＨ2＋ｂｔ2）／（ａＨ＋ｂｔ）｝＝（１／２）×｛（０．３×５2＋４．７×０．３2）／（０．３×５＋４．７×０．３）｝＝１．３６１
ｅ2＝Ｈ−ｅ1＝５−１．３６１＝３．６３８
ｈ2＝ｅ1−ｔ＝１．０６１
次に慣性モーメントの比Ｉ2／Ｉ1は以下の式で求められる。
【００１０】
Ｉ2／Ｉ1＝７．１４５／０．０２２５≒３１７．５
さらに、固有振動数ω0＝（Ｉ／ＣＭ）1/2であるため、本発明に係るＦＦＣは従来のＦＦＣに比べて１７．８倍の固有振動数を有することになる。したがって、従来のＦＦＣが１０００Ｈｚで共鳴していたとすれば、本発明に係るＦＦＣは１７８００Ｈｚで共鳴する。
ＦＦＣ１の取り付け方法について説明する。最初に、ＦＦＣ１の両端接続部１ａ，１ｂをコネクタ２，３に接続する。続いて、ＦＦＣ１の空中配線部１ｃに長手方向に沿って折り目１ｄを形成する。この実施形態では、金型で定められた形状に打ち抜かれて形成されてしまったＦＰＣや市販の規格形状に統一されているＦＦＣを、そのまま使用して後から折り曲げ加工を加えるだけで、固有振動数をシフトさせることができる。すなわち、ＦＰＣでは形状を変更するための金型修正が不要となり、ＦＦＣでは独自の素材や形状を採用することなく実施できるため、低コストで修正の時間を要することなく不快な共鳴を改善できるという効果を有する。
また、ＦＦＣ１の空中配線部１ｃの断面Ａ−Ａの形状は、“Ｌ”字型のみならず、以下のような形状であっても良い。図３に示す空中配線部１ｃ’の断面形状は“コ”の字型であり、図４に示す空中配線部１ｃ’’の断面形状は“２つ折”型であり、図５に示す空中配線部１ｃ’’’の断面形状は“Ｗ”型である。いずれの場合もＦＦＣ１の剛性が増加するため、上記と同様の共振周波数を高域にシフトさせる効果を持つ。
【産業上の利用可能性】
【００１１】
本発明は、フレキシブル配線部材が用いられる磁気記録再生装置に適用可能である。特に、本発明は、モータ等の駆動源を有する装置に適用される。
【図面の簡単な説明】
【００１２】
【図１】本発明に係るＦＦＣを採用したＶＣＲの構成の一部の斜視図。
【図２】図１のＡ−Ａ断面図であり、ＦＦＣの断面図。
【図３】他の実施例におけるＦＦＣの断面図。
【図４】他の実施例におけるＦＦＣの断面図。
【図５】他の実施例におけるＦＦＣの断面図。
【図６】ＦＦＣの寸法関係を説明するための断面図。
【符号の説明】
【００１３】
１  ＦＦＣ
２  コネクタ
３  コネクタ
４  モータ
５  ドラム
７  プリント基板
【図１】
2007035228.tif 000003
【図２】
2007035228.tif 000004
【図３】
2007035228.tif 000005
【図４】
2007035228.tif 000006
【図５】
2007035228.tif 000007
【図６】
2007035228.tif 000008